(57)【要約】【課題】連携管理が必要な複数検査項目について連携条件を管理し作業者に確実に通知する。【解決手段】検査用携帯端末は、液晶ディスプレイに検査画面を表示している状態でこの検査画面に複数検査項目の連携条件をサーバに問合わせるための専用アイコンがあれば、このアイコンをクリックする。これにより、サーバに複数検査項目の連携条件の問い合わせを行い、サーバから複数検査項目連携情報を受信し、この情報に基づいて連携情報通知ダイアログ画面を作成して液晶ディスプレイに表示する。この連携情報通知ダイアログ画面によって検査作業者は複数検査項目の連携条件を確認してから検査を行うことになる。【選択図】      図６
2005293271.tif 000002
【特許請求の範囲】
【請求項１】
車両の製造ラインで使用するサーバと、このサーバとはＬＡＮを介して通信を行い、複数の検査工程で使用する検査用端末とからなり、
前記サーバは、
車両の検査規格情報を記憶するとともに前記検査工程間で連携管理が必要な複数検査項目の連携条件を登録した検査マスタデータベースと、
前記検査用端末から送信される連携条件を登録した検査項目に対する検査結果情報を格納する検査結果データベースと、
前記検査用端末から検査対象車の検査項目における連携条件の問い合わせがあると、前記検査マスタデータベースから該当する車両における複数検査項目の連携条件を読み出し、および前記検査結果データベースから検査結果情報を読み出して、該当する検査用端末に送信する送信手段とを設け、
前記検査用端末は、
ディスプレイと、
前記サーバから検査対象車の検査情報を受信して検査画面を作成し、前記ディスプレイに表示する第１の表示手段と、
この表示されている検査画面上において連携条件を登録した検査項目に対する特定操作によって前記連携条件の問い合わせを行う確認手段と、
前記サーバから複数検査項目の連携条件および検査結果情報を受信して連携情報通知ダイアログ画面を作成し、前記ディスプレイに表示する第２の表示手段とを設け、
複数検査項目の連携条件および検査結果情報を作業者が確認することを特徴とする車両の検査管理システム。
【発明の詳細な説明】
【技術分野】
【０００１】
車両の製造ラインにおける検査管理システムに関する。
【背景技術】
【０００２】
従来、車両を製造するラインでは、完成車に対して複数の検査工程を設定し、それぞれの検査工程において、検査データをホストからパソコンにダウンロードし、オペレータはこの検査データに基づいて検査を行い、その結果をパソコンに入力してホストへ送信するもの、また、検査の最初に各工程で検査に必要な基準データをバーコードで印刷した検査指示票を発行して完成車に添付し、第１の工程で該当するバーコードを読取って基準データを得、この基準データに基づいて検査を行って、その結果をバーコードラベルとして発行し、このバーコードラベルを検査指示票に貼って次の工程へ移動させるものが知られている（例えば、特許文献１参照）。
【０００３】
ところで、製造ラインにおいて、ボディと艤装部品の同時設計変更実施時など、上流工程の変更に下流工程の変更を連動させなければならない場合、異なる工程で行われる複数の検査項目の検査規格について変更前と変更後を連携して管理しなければならない。  
このような場合、従来は、生産計画等の管理部門が予め「作業連絡書」と呼ばれる書面を関連部門に発行し、変更内容、部品組み付け、検査実施時の注意事項、検査結果の記録要領等を事前に周知させるようにしていた。そして、「作業連絡書」を受け取った工作部門では該当車両の生産予定日や変更部品の入荷日を確認のうえ、生産状況をモニターし、当該車両が生産される際に、「作業連絡書」の内容に従って部品を組み付け、最後に検査担当部門が「作業連絡書」に従って手書きで検査規格を修正のうえ、変更内容を確認するようにしていた。例えば、「作業連絡書」にハーネス干渉対策のため固定クリップを追加する指示があると、上流工程ではクリップ追加対応のためボディ側にクリップ穴を追加し、これをボディ検査で確認し、下流工程ではハーネスにクリップ追加を行い、これを完成車検査で確認するということを行っていた。
【特許文献１】特開２００２−１２１７７公報
【発明の開示】
【発明が解決しようとする課題】
【０００４】
しかし、このように、作業連絡書を使用して指示等を行うものでは、作業連絡書で指示されるタイミングと該当車両が生産されるタイミングにタイムラグがあるため、作業者が指示を忘れる虞があった。また、作業連絡書を使用して指示等を行うものでは、上流工程から下流工程への適宜な情報伝達が困難であった。
【０００５】
そこで本発明は、連携管理が必要な複数検査項目について連携条件を管理し作業者に確実に通知することができる検査管理システムを提供する。
【課題を解決するための手段】
【０００６】
本発明は、車両の製造ラインで使用するサーバと、このサーバとはＬＡＮを介して通信を行い、複数の検査工程で使用する検査用端末とからなり、サーバは、車両の検査規格情報を記憶するとともに検査工程間で連携管理が必要な複数検査項目の連携条件を登録した検査マスタデータベースと、検査用端末から送信される連携条件を登録した検査項目に対する検査結果情報を格納する検査結果データベースと、検査用端末から検査対象車の検査項目における連携条件の問い合わせがあると、検査マスタデータベースから該当する車両における複数検査項目の連携条件を読み出し、および検査結果データベースから検査結果情報を読み出して、該当する検査用端末に送信する送信手段とを設け、検査用端末は、ディスプレイと、サーバから検査対象車の検査情報を受信して検査画面を作成し、ディスプレイに表示する第１の表示手段と、この表示されている検査画面上において連携条件を登録した検査項目に対する特定操作によって連携条件の問い合わせを行う確認手段と、サーバから複数検査項目の連携条件および検査結果情報を受信して連携情報通知ダイアログ画面を作成し、ディスプレイに表示する第２の表示手段とを設け、複数検査項目の連携条件および検査結果情報を作業者が確認することにある。
【発明の効果】
【０００７】
本発明によれば、連携管理が必要な複数検査項目について連携条件を管理し作業者に確実に通知することができる。従って、例えば、下流工程において上流工程での取付け部品の変更前や変更後の連携条件を容易に確認できる。
【発明を実施するための最良の形態】
【０００８】
以下、本発明の一実施の形態を、図面を参照して説明する。  
図１は車両の検査管理システムの構成を示す図で、車両の製造工場内に配置されたＬＡＮ１に、サーバ２、マスタ管理端末３を接続するとともに複数のアクセスポイント４が所定の間隔で接続している。そして、各アクセスポイント４は、検査用端末として、近傍にあるモバイル端末である検査用携帯端末５と無線通信するようになっている。
【０００９】
検査用携帯端末５は検査するオペレータ６が所持し、製造ラインにおいて所定の工程が終了する毎にその工程で車両７に組み込まれた複数の検査対象部位や部品の検査をこの検査用携帯端末５を操作して行うようになっている。
【００１０】
前記サーバ２は、検査マスタデータベース１１や検査結果データベース１２を設けている。また、前記サーバ２は、複数検査項目連携条件の登録機能を実行する業務アプリケーション実行部１３を設けている。
【００１１】
前記検査マスタデータベース１１は、製造する車両毎に、識別コードや型式などの情報とともに検査対象となる各部位や部品の検査規格仕様情報や検査規格値等が設定されている。また、前記検査マスタデータベース１１に、連携管理が必要な複数検査項目の連携条件を、前記業務アプリケーション実行部１３を使用して登録するようになっている。前記検査結果データベース１２は各検査用携帯端末５から入力された検査結果を作業者情報等とともに登録するようになっている。
【００１２】
前記サーバ２は、図２に示すように、制御部本体を構成するＣＰＵ（中央処理ユニット）２１、このＣＰＵ２１が各部を制御するプログラムデータを格納したＲＯＭ（リード・オンリー・メモリ）２２、前記ＣＰＵ２１がデータ送信時やデータ受信時、データ処理時等において一時的に使用するメモリを設けたＲＡＭ（ランダム・アクセス・メモリ）２３、前記検査マスタデータベース１１や検査結果データベース１２を設けるとともに業務アプリケーションプログラムを格納したハードディスク装置２４、ＬＡＮ１を介して前記マスタ管理端末３とデータのやり取りを行うとともにＬＡＮ１及びアクセスポイント４を介して前記検査用携帯端末５とデータのやり取りを行う通信部２５、キー入力やインジケータの表示等を行うための操作部２６を設け、これらをバスライン２７によって互いに電気的に接続している。
【００１３】
前記マスタ管理端末３は製造ラインの管理者が操作する端末で、図３に示すように、制御部本体を構成するＣＰＵ３１、このＣＰＵ３１が各部を制御するプログラムデータを格納したＲＯＭ３２、前記ＣＰＵ３１がデータ送信時やデータ受信時、データ処理時等において一時的に使用するメモリや小容量のデータを格納するメモリ等を設けたＲＡＭ３３、ＬＡＮ１を介して前記サーバ２とデータのやり取りを行う通信部３４、作業の実行の為の各種キーを設けたキーボード３５、データ表示等を行う液晶等のディスプレイ３６、必要なデータを印字出力する為のプリンタ３７、大容量のデータを格納する為の使用するハードディスク装置３８を設け、これらをバスライン３９によって互いに電気的に接続している。
【００１４】
前記検査用携帯端末５は、図４に示すように、制御部本体を構成するＣＰＵ５１、このＣＰＵ５１が各部を制御するプログラムデータを格納したＲＯＭ５２、前記ＣＰＵ５１がデータ送信時やデータ受信時、データ処理時等において一時的に使用するメモリや小容量のデータを格納するメモリ等を設けたＲＡＭ５３、データ表示や各種情報の入力画面表示等を行う液晶ディスプレイ５４、この液晶ディスプレイ５４の上に載置され、この液晶ディスプレイ５４に表示された入力画面における情報入力を行う為のタッチパネル５５、前記アクセスポイント４と無線通信によってデータのやり取りを行う無線通信部５６を設け、これらをバスライン５７によって互いに電気的に接続している。
【００１５】
前記マスタ管理端末３は、製造される自動車個々に対して、各工程においてどの部位や部品に対してどのような検査を行うかの検査情報を入力する。また、製造される車両個々に対して、連携管理が必要な複数検査項目の連携条件を入力する。このときにディスプレイ３６に表示される入力画面の一例を示すと図７に示すようになる。ここでは、検査項目ＪＯＢ−Ａと検査項目ＪＯＢ−Ｂについて、それぞれ新旧組み合わせに対して合否基準を設定する画面を示している。現（運用中）とあるのは旧のことであり、新（仮保存）とあるのは新のことであり、ＪＯＢ−Ａの現（運用中）とＪＯＢ−Ｂの新（仮保存）と組み合わせのみが×で、その他の組み合わせはすべてＯＫとなっている。このマスタ管理端末３で入力した情報は前記サーバ２の検査マスタデータベース１１に記憶される。
【００１６】
こうして、サーバ２の検査マスタデータベース１１に製造される各車両に対する各工程での検査情報が設定されると、その検査情報を基に各工程において前記検査用携帯端末５がサーバ２と無線通信を行い、この検査用携帯端末５を所持している検査オペレータが検査を実行することになる。
【００１７】
この検査において複数検査項目の連携条件が登録されている場合には注意を要する。そこで、前記サーバ２は、図５に示すように、Ｓ１にて、前記検査用携帯端末５から複数検査項目の連携条件の問い合わせを確認すると、Ｓ２にて、前記検査マスタデータベース１１から該当する車における複数検査項目の連携条件を読み出し、Ｓ３にて、複数検査項目連携情報を該当する検査用携帯端末５に送信する（送信手段）。
【００１８】
一方、前記検査用携帯端末５は、図６に示す流れ図に基づいた処理を行う。すなわち、Ｓ１１にて、サーバ２から検査対象車の検査情報を受信し、この検査情報に基づいて検査画面を作成して液晶ディスプレイ５４に表示する（第１の表示手段）。続いて、Ｓ１２にて、この検査画面において専用アイコンをクリックすると、Ｓ１３にて、サーバ２に対して検査項目における連携条件の問い合わせを行う（確認手段）。
【００１９】
また、Ｓ１４にて、検査画面において「ＯＫ」か「ＮＧ」のボタンをクリックすると、Ｓ１５にて、そのクリックが最初のクリックか否かをチェックし、最初のクリックであれば、Ｓ１６にて、連携条件のある検査項目か否かを判断し、連携条件のある検査項目であれば、Ｓ１３にて、サーバ２に対して検査項目における連携条件の問い合わせを行う（確認手段）。
【００２０】
続いて、Ｓ１７にて、前記サーバ２から受信した複数検査項目連携情報に基づいて連携情報通知ダイアログ画面を作成し、その画面を液晶ディスプレイ５４に表示する（第２の表示手段）。
【００２１】
検査を担当する作業者は、この連携情報通知ダイアログ画面を確認することで複数検査項目の連携及びその連携条件を容易に確認することができる。このダイアログ画面にて検査ＪＯＢ−Ａと検査ＪＯＢ−Ｂとの検査基準の組み合わせに基づいて車両の取付けた部品の検査を行い、合格であれば互換性「ＯＫ」にし、正しくなければ互換性「ＮＧ」にする。なお、互換性が「ＮＧ」になったものについては部品を交換するなどして対処することになる。
【００２２】
そして、最終的に、作業者は画面上の「確認」ボタンをクリックし、Ｓ１８にて、このボタン操作が確認されると、Ｓ１９にて、液晶ディスプレイ５４の表示を再び検査画面に戻す。  
その後、検査画面に基づく検査を行い、その都度「ＯＫ」か「ＮＧ」を入力し、最終的に、Ｓ２０にて、検査結果を、作業者情報を含めてサーバ２に送信する。
【００２３】
このような構成においては、ある工程で検査用携帯端末５は該当する車両の検査情報をサーバ２から受け取って検査画面を液晶ディスプレイ５４に表示し、検査項目について検査作業を行う。このとき、検査項目について複数検査項目の連携条件が登録されていると専用のアイコンが表示されているので、これをクリックする。これにより、サーバ２へ連携条件確認の問い合わせが行われ、サーバ２から複数検査項目連携情報を受信し、この情報に基づいて連携情報通知ダイアログ画面を作成して液晶ディスプレイ５４に表示する。
【００２４】
また、専用のアイコンをクリックしなくても、「ＮＧ」か「ＯＫ」のアイコンを該当する検査項目について最初にクリックしたときにもその検査項目に複数検査項目の連携条件が登録されていれば、同じくサーバ２へ連携条件確認の問い合わせが行われ、サーバ２から複数検査項目連携情報を受信し、この情報に基づいて連携情報通知ダイアログ画面を作成して液晶ディスプレイ５４に表示する。
【００２５】
そして、この複数検査項目連携情報通知ダイアログ画面によって作業者は複数検査項目の連携条件を確認することができる。従って、下流工程において上流工程での取付け部品の変更前や変更後の連携条件を容易かつ確実に確認でき、下流工程において確実な検査ができる。また、複数検査項目の連携管理をサーバ２で一括して行い、各工程において検査用携帯端末５を使用して複数検査項目の連携条件をサーバ２から取得して確認するようにしているので、管理の効率化を図ることができる。
【００２６】
なお、この実施の形態では検査用端末として、検査用携帯端末を使用し、サーバ２とアクセスポイント４を介して無線通信方式で通信を行うものについて述べたが必ずしもこれに限定するものではなく、サーバ２とＬＡＮ等により有線接続された設置式の検査用端末を使用し、サーバとの通信を有線通信方式で行うものであってもよい。
【図面の簡単な説明】
【００２７】
【図１】本発明の一実施の形態に係る車両の検査管理システムの構成を示す図。
【図２】同実施の形態におけるサーバの構成を示すブロック図。
【図３】同実施の形態におけるマスタ管理端末の構成を示すブロック図。
【図４】同実施の形態における検査用携帯端末の構成を示すブロック図。
【図５】同実施の形態におけるサーバが検査用携帯端末から複数検査項目の連携条件の問い合わせを受信したときの処理を示す流れ図。
【図６】同実施の形態における検査用携帯端末が検査画面において複数検査項目の連携条件の問い合わせをサーバに行ったときの処理を示す流れ図。
【図７】同実施の形態におけるマスタ管理端末に表示される入力画面の一例を示す図。
【符号の説明】
【００２８】
２…サーバ、１１…検査マスタデータベース、１３…業務アプリケーション実行部、５…検査用携帯端末、２１，５１…ＣＰＵ、５４…液晶ディスプレイ。
【図１】
2005293271.tif 000003
【図２】
2005293271.tif 000004
【図３】
2005293271.tif 000005
【図４】
2005293271.tif 000006
【図５】
2005293271.tif 000007
【図６】
2005293271.tif 000008
【図７】
2005293271.tif 000009